(57)【要約】【課題】HD-SDI信号の複数チャンネル分についてのシリアル伝送を効率良く行うことができ、また、４ｋ×２ｋ信号等についてのシリアル伝送を実現できることになるデータ送受信に用いることができる改良されたデータ受信装置とする。【解決手段】受け取られたビットレートを１０Ｇb/s 以上とするビット列データを成す第１のシリアルディジタル映像信号に基づく多重ワード列データにおける、特定のビット配列を有した同期ワードデータの検出を行い、同期ワードデータの検出状況に応じて多重ワード列データについてのビットシフト量を設定し、当該多重ワード列データについてのビット同期及びワード同期を確立するビット・ワード同期設定部３６を備え、それから送出される多重ワード列データに基づいて、各々が規格に定められたビットレートを有したビット列データを成す複数チャンネルの第２のシリアルディジタル映像信号を得る。【選択図】図１
2006074546.tif 000002
【特許請求の範囲】
【請求項１】
ビットレートを１０Ｇb/s 以上とするビット列データを第１のシリアルディジタル映像信号として受けるデータ受取手段と、
該データ受取手段から得られるビットレートを１０Ｇb/s 以上とするビット列データにシリアル／パラレル変換を施すとともに、各々が所定のビットレートを有したｍチャンネル（ｍは２以上の整数）のビット列データを形成するシリアル／パラレル変換・多チャンネルデータ形成手段と、
該シリアル／パラレル変換・多チャンネルデータ形成手段から得られるｍチャンネルのビット列データを多重して、多重ワード列データを形成するデータ多重手段と、
該データ多重手段から得られる多重ワード列データにおける特定のビット配列を有した同期ワードデータの検出を行い、該同期ワードデータの検出状況に応じて上記多重ワード列データについてのビットシフト量を設定して、該多重ワード列データについてのビット同期及びワード同期を確立するビット・ワード同期設定部と、
該ビット・ワード同期設定部においてビット同期及びワード同期が確立された多重ワード列データから、第１の所定ビットずつを取り出して、各々が所定ワードビット数を有したｎチャンネル（ｎはｍより小なる正整数）のワード列データを得るデータ分離手段と、
該データ分離手段から得られるｎチャンネルのワード列データが供給され、上記ｎチャンネルのワード列データに基づく、各々が規格に定められたビットレートを有したビット列データを成すｎチャンネルの第２のシリアルディジタル映像信号を得る複数のパラレル／シリアル変換手段と、
を備えて構成されるデータ受信装置。
【請求項２】
上記ビット・ワード同期設定部が、上記多重ワード列データについてのビットシフトを行うビットシフタと、該ビットシフトからの多重ワード列データについての上記同期ワードデータの検出を行い、上記同期ワードデータが適正に検出されないときには、上記ビットシフタに上記多重ワード列データについての更なるビットシフトを生じさせて、再度上記ビットシフトからの多重ワード列データについての上記同期ワードデータの検出を行う処理を繰り返し、上記同期ワードデータが適正に検出されたとき、上記ビットシフタにおける上記多重ワード列データに対するビットシフト量を固定する制御を行う同期ワード検出部とを含んで構成されることを特徴とする請求項１記載のデータ受信装置。
【請求項３】
上記ビットシフタが、上記多重ワード列データについてのビットシフトを１ビットずつ行うことを特徴とする請求項２記載のデータ受信装置。
【請求項４】
上記同期ワード検出部が、上記ビットシフトからの多重ワード列データについて上記特定のビット配列を有した同期ワードデータが２ワード連続して検出されたときを、上記同期ワードデータが適正に検出されたときとすることを特徴とする請求項３記載のデータ受信装置。
【請求項５】
上記複数のパラレル／シリアル変換手段から得られる各々が規格に定められたビットレートを有したビット列データを成すｎチャンネルの第２のシリアルディジタル映像信号が供給され、該ｎチャンネルの第２のシリアルディジタル映像信号を、特定のフレームレート，量子化ビット数、及び、緑色原色信号，青色原色信号及び赤色原色信号データ系列あるいは輝度信号及び色差信号データ系列の並列配置をもって構成されたワード列データを成す特定パラレルディジタル映像信号に変換して送出する特定パラレルディジタル映像信号形成手段が備えられることを特徴とする請求項２記載のデータ受信装置。
【請求項６】
上記データ受取手段が、光信号伝送ケーブルを通じて受け取った光信号を、ビットレートを１０Ｇb/s 以上とするビット列データに変換して、第１のシリアルディジタル映像信号を得ることを特徴とする請求項２記載のデータ受信装置。
【請求項７】
上記データ多重手段から得られる多重ワード列データが、第１の周波数を有した書込クロック信号をもって書き込まれるとともに、上記第１の周波数とは異なる第２の周波数を有した読出クロック信号をもって読み出されて上記データ分離手段へと送られるメモリ手段を備えることを特徴とする請求項２記載のデータ受信装置。
【請求項８】
上記データ分離手段から得られるｎチャンネの第１のワード列データが供給され、該ｎチャンネの第１のワード列データの各々に第２の所定ビット数ずつの１０ビット／８ビット変換処理を施して、各々が規格に定められたライン分データ構造を有したパラレルディジタル映像信号とされるｎチャンネルの第２のワード列データを形成する複数の１０ビット／８ビット変換手段を備えることを特徴とする請求項２記載のデータ受信装置。
【請求項９】
各々が、上記１０ビット／８ビット変換手段から得られるｎチャンネルの第２のワード列データのうちのいずれかが書き込まれるとともに、書き込まれた第２のワード列データが上記第２の所定ビット数ずつ読み出されるものとされる、複数のメモリ手段が備えられることを特徴とする請求項８記載のデータ受信装置。
【発明の詳細な説明】
【技術分野】
【０００１】
本願の特許請求の範囲に記載された発明は、規格に準拠したビットレートを有するビット列データを成すものとされたシリアルディジタル映像信号についての伝送を行うに際して用いられる、データ送信装置により送信されたビット列データを受信するデータ受信装置に関する。
【背景技術】
【０００２】
映像信号の分野においては、伝達情報の多様化及び再生画像の高品質化等を実現する観点から、ディジタル化への取組が積極的になされており、既に、映像信号情報をあらわすディジタルデータにより形成されるディジタル映像信号を扱う高精細度テレビジョン（High Definition Television : HDTV)システム等が広く普及している段階にある。HDTVシステムのもとにおけるディジタル映像信号（以下、ＨＤ信号という）は、所定のデータフォーマットに従ったワード列データとして形成され、Ｙデータ系列とＣB ／ＣR データ系列とが並列に配置されて成るデータ系列並列配置構成をとるＹ，ＣB ／ＣR 形式のものと、Ｇデータ系列，Ｂデータ系列及びＲデータ系列が並列に配置されて成るデータ系列並列配置構成をとるＧ，Ｂ，Ｒ形式のものとがある。Ｙ，ＣB ／ＣR 形式のＨＤ信号の場合、Ｙは輝度信号を意味し、ＣB ／ＣR は色差信号を意味する。また、Ｇ，Ｂ，Ｒ形式のＨＤ信号の場合、Ｇ，Ｂ及びＲは、夫々、緑色原色信号、青色原色信号及び赤色原色信号を意味する。
【０００３】
このようなＨＤ信号が、同軸ケーブルや光信号伝送ケーブル等で構成される信号伝送路を通じて伝送されるに際しては、信号伝送路の構造が簡略化されることからして、ＨＤ信号がワード列データからビット列データ（シリアルディジタル映像信号）に変換されて伝送されるシリアル伝送が望まれることになる。そして、ＨＤ信号のシリアル伝送に関しては、米国のＳＭＰＴＥ (Society of Motion Picture and Television Engineers：動画及びテレビジョン技術者協会）による規格化がなされており、ＳＭＰＴＥによって制定された規格である SMPTE 292M による HD SDI (High Definition Serial Digital Interface)に準拠した伝送が行われる（非特許文献１参照。）。
【０００４】
HD SDI に準拠した伝送にあっては、同軸ケーブルや光信号伝送ケーブル等で形成される信号伝送路を通じて伝送されるビット列データであるシリアルディジタル映像信号が、そのデータレート（ビットレート）を１．４８５Ｇb/s もしくは１．４８５／１．００１Ｇb/s （本願においては、これらのビットレートのいずれをも１．４８５Ｇb/s という。）とするものとされることが、規格として定められている。即ち、 HD SDI に準拠した伝送に供されるシリアルディジタル映像信号（以下、HD-SDI信号という。）の伝送にあたっては、HD-SDI信号は、ビットレートを１．４８５Ｇb/s とするものとされるのである。
【０００５】
HD-SDI信号の元となるＨＤ信号は、所定のデータフォーマットを有したものに限定される。斯かる限定されたＨＤ信号が有する所定のデータフォーマットは、例えば、フレームレート：２４Ｈｚもしくは２４／１．００１Ｈｚ（本願においては、これらのいずれをも２４Ｈｚという。），２５Ｈｚあるいは３０Ｈｚもしくは３０／１．００１Ｈｚ（本願においては、これらのいずれをも３０Ｈｚという。），各フレームにおける有効ライン数：１０８０ライン，各ラインにおける有効ワード数：１９２０ワード，ワードビット数（量子化ビット数）：１０ビット，データ形式：Ｙ，ＣB ／ＣR 形式等々のパラメータによって規定されるものとされる。
【０００６】
こうした状況のなかで、ディジタル映像信号について、それに基づいて再生される画像の解像度の一層の向上，画質改善の更なる追求等を目的として、そのデータフォーマットを規定するパラメータについて、フレームレートを６０Ｈｚもしくは６０／１．００１Ｈｚ（本願においては、これらのいずれをも６０Ｈｚという。）あるいは９０Ｈｚもしくは９０／１．００１Ｈｚ（本願においては、これらのいずれをも９０Ｈｚという。）とすること，各フレームにおける有効ライン数及び各ラインにおける有効ワード数を１０８０ライン及び１９２０ワードに限ることなく、それらより大、例えば、１０８０ライン及び１９２０ワードの２倍程度とすること，ワードビット数を１０ビットを越えるビット数、例えば、１２ビット，１４ビット等とすること、さらには、データ形式をＧ，Ｂ，Ｒ形式とすること等々が提案されている。このような提案に従ったディジタル映像信号の例としては、そのデータフォーマットが、例えば、フレームレート：６０Ｈｚ，各フレームにおける有効ライン数：１０８０ライン，各ラインにおける有効ワード数：１９２０ワード，ワードビット数：１２ビット，データ形式：Ｇ，Ｂ，Ｒ形式等々のパラメータによって規定されるもの（以下、次世代カメラ信号という。），そのデータフォーマットが、例えば、フレームレート：９０Ｈｚ，７５Ｈｚもしくは７２Ｈｚ, 各フレームにおける有効ライン数：１０８０ライン，各ラインにおける有効ワード数：１９２０ワード，ワードビット数：１２ビット，１３ビットもしくは１４ビット，データ形式：Ｇ，Ｂ，Ｒ形式等々のパラメータによって規定されるもの（以下、ＨＤスーパーモーション信号という。）、さらには、そのデータフォーマットが、例えば、フレームレート：２４Ｈｚ，２５Ｈｚもしくは３０Ｈｚ，各フレームにおける最大有効ライン数：２１６０ライン，各ラインにおける最大有効ワード数：４０９６ワード，ワードビット数：１２ビット，データ形式：Ｇ，Ｂ，Ｒ形式等々のパラメータによって規定されるもの（以下、４ｋ×２ｋ信号という。）等がある。
【０００７】
これらの次世代カメラ信号，ＨＤスーパーモーション信号，４ｋ×２ｋ信号等の夫々についても、その伝送にあたっては、ワード列データをなすパラレルディジタル映像信号からビット列データを成すシリアルディジタル映像信号に変換されて伝送されるシリアル伝送が望まれることになる。
【非特許文献１】SMPTE STANDARD  SMPTE 292M-1998, for Television −Bit-SerialDigital Interface for High-Definition Television Systems
【発明の開示】
【発明が解決しようとする課題】
【０００８】
上述のように、ビットレートを規格に定められた１．４８５Ｇb/s とするHD-SDI信号の伝送にあっては、互いに異なる情報内容を有した複数チャンネルのHD-SDI信号を同時に伝送することが望まれ、また、次世代カメラ信号，ＨＤスーパーモーション信号，４ｋ×２ｋ信号の夫々等の、所謂、超広帯域映像信号に属するものについては、実用に供することができるシリアル伝送を行える実際の伝送システムの出現が望まれるもとにおいて、本願出願人は、先に、規格化されたビットレートを有するHD-SDI信号についてその複数チャンネルをそれらについて多重化処理を施したもとで送受できることになる、複数チャンネルのHD-SDI信号のシリアル伝送を効率良く行うことができ、また、次世代カメラ信号，ＨＤスーパーモーション信号，４ｋ×２ｋ信号等の夫々についてのシリアル伝送を、実用に供することができる形で実現できるデータ送信装置及びデータ受信装置を、特許出願（特願２００４−１１７８５１，特願２００４−１８７２３２，特願２００４−１８７２３５）をもって提案した。
【０００９】
このように、既に本願出願人によって提案されたデータ送信装置及びデータ受信装置にあっても、そのデータ送信装置あるいはデータ受信装置に関連しての改良の余地は残されている。従って、規格化されたビットレートを有するHD-SDI信号についてその複数チャンネル分のシリアル伝送を効率良く行うことができ、また、次世代カメラ信号，ＨＤスーパーモーション信号，４ｋ×２ｋ信号等の夫々についてのシリアル伝送を実用に供することができる形で実現できるデータ送信装置及びデータ受信装置について、そのデータ送信装置あるいはデータ受信装置に関連した改良の出現が期待されるところとなっている。
【００１０】
斯かる点に鑑み、本願の特許請求の範囲に記載された発明は、規格化されたビットレートを有するHD-SDI信号の複数チャンネル分についてのシリアル伝送を効率良く行うことができ、また、次世代カメラ信号，ＨＤスーパーモーション信号，４ｋ×２ｋ信号等の夫々についてのシリアル伝送を実現できることになるデータ送受信に用いられる、改良されたデータ受信装置を提供する。
【課題を解決するための手段】
【００１１】
本願の特許請求の範囲における請求項１から請求項９までのいずれかに記載された発明に係るデータ受信装置は、ビットレートを１０Ｇb/s 以上とするビット列データを第１のシリアルディジタル映像信号として受けるデータ受取手段と、データ受取手段から得られるビットレートを１０Ｇb/s 以上とするビット列データにシリアル／パラレル（Ｓ／Ｐ）変換を施すとともに、各々が所定のビットレートを有したｍチャンネル（ｍは２以上の整数）のビット列データを形成するＳ／Ｐ変換・多チャンネルデータ形成手段と、Ｓ／Ｐ変換・多チャンネルデータ形成手段から得られるｍチャンネルのビット列データを多重して、多重ワード列データを形成するデータ多重手段と、データ多重手段から得られる多重ワード列データにおける特定のビット配列を有した同期ワードデータの検出を行い、同期ワードデータの検出状況に応じて多重ワード列データについてのビットシフト量を設定して、多重ワード列データについてのビット同期及びワード同期を確立するビット・ワード同期設定部と、ビット・ワード同期設定部においてビット同期及びワード同期が確立された多重ワード列データから、第１の所定ビットずつを取り出して、各々が所定ワードビット数を有したｎチャンネル（ｎはｍより小なる正整数）のワード列データを得るデータ分離手段と、データ分離手段から得られるｎチャンネルのワード列データが供給され、ｎチャンネルのワード列データに基づく、各々が規格に定められたビットレートを有したビット列データを成すｎチャンネルの第２のシリアルディジタル映像信号を得る複数のパラレル／シリアル（Ｐ／Ｓ）変換手段とを備えて構成される。
【００１２】
特に、本願の特許請求の範囲における請求項２に記載された発明に係るデータ受信装置は、ビット・ワード同期設定部が、多重ワード列データについてのビットシフトを行うビットシフタと、ビットシフトからの多重ワード列データについての同期ワードデータの検出を行い、同期ワードデータが適正に検出されないときには、ビットシフタに多重ワード列データについての更なるビットシフトを生じさせて、再度ビットシフトからの多重ワード列データについての同期ワードデータの検出を行う処理を繰り返し、同期ワードデータが適正に検出されたとき、ビットシフタにおける多重ワード列データに対するビットシフト量を固定する制御を行う同期ワード検出部とを含んで構成されるものとされる。
【００１３】
また、特に、本願の特許請求の範囲における請求項５に記載された発明に係るデータ受信装置は、複数のＰ／Ｓ変換手段から得られる各々が規格に定められたビットレートを有したビット列データを成すｎチャンネルの第２のシリアルディジタル映像信号が供給され、それらを特定のフレームレート，量子化ビット数、及び、緑色原色信号，青色原色信号及び赤色原色信号データ系列もしくは輝度信号及び色差信号データ系列の並列配置をもって構成されたワード列データを成す特定パラレルディジタル映像信号に変換して送出する特定パラレルディジタル映像信号形成手段が備えられるものとされる。
【００１４】
上述の本願の特許請求の範囲における請求項１から請求項９までのいずれかに記載された発明に係るデータ受信装置にあっては、ビットレートを１０Ｇb/s 以上、例えば、１０．６９２Ｇｂ／ｓとするビット列データが第１のシリアルディジタル映像信号として受けられ、その、ビットレートを１０Ｇb/s 以上、例えば、１０．６９２Ｇｂ／ｓとするビット列データにＳ／Ｐ変換が施されて、各々が所定のビットレート、例えば、６６８．２５Ｍｂ／ｓのビットレートを有したｍチャンネルのビット列データが形成され、その後、ｍチャンネルのビット列データが多重されて、多重ワード列データが形成される。そして、多重ワード列データに含まれる特定のビット配列を有した同期ワードデータの検出が行われ、その検出の状況に応じて多重ワード列データについてのビットシフト量が設定されて、多重ワード列データについてのビット同期及びワード同期が確立される。
【００１５】
この多重ワード列データについてのビット同期及びワード同期の確立は、例えば、請求項２に記載された発明に係るデータ受信装置の場合のように、多重ワード列データについてのビットシフトを行うビットシフタが設けられたもとで、ビットシフトからの多重ワード列データについての同期ワードデータの検出が行われ、同期ワードデータが適正に検出されないときには、ビットシフタに多重ワード列データについての更なるビットシフトを生じさせて、再度ビットシフトからの多重ワード列データについての同期ワードデータの検出を行う処理が繰り返され、その結果、同期ワードデータが適正に検出されたとき、ビットシフタにおける多重ワード列データに対するビットシフト量が固定されることにより行われる。
【００１６】
次に、ビット同期及びワード同期が確立された多重ワード列データから、第１の所定ビットずつ、例えば、２５０ビットずつが取り出されて、各々が所定の、例えば、５０ビットのワードビット数を有したｎチャンネルのワード列データが形成される。続いて、ｎチャンネルのワード列データの夫々にＰ／Ｓ変換が施されて、各々が、例えば、HD-SDI信号とされる、規格に定められたビットレート、例えば、１．４８５Ｇｂ／ｓのビットレートを有するものとされたビット列データを成す、ｎチャンネルの第２のシリアルディジタル映像信号が得られる。
【００１７】
さらに、特に、請求項５に記載された発明に係るデータ受信装置の場合には、各々が規格に定められたビットレート、例えば、１．４８５Ｇｂ／ｓのビットレートを有するものとされたビット列データを成すｎチャンネルの第２のシリアルディジタル映像信号が、特定のフレームレート，量子化ビット数、及び、緑色原色信号，青色原色信号及び赤色原色信号データ系列もしくは輝度信号及び色差信号データ系列の並列配置をもって構成されたワード列データを成す特定パラレルディジタル映像信号に変換される。
【発明の効果】
【００１８】
上述のような本願の特許請求の範囲における請求項１から請求項９までのいずれかに記載された発明に係るデータ受信装置によれば、ビットレートを１０Ｇb/s 以上、例えば、１０．６９２Ｇｂ／ｓとするビット列データが第１のシリアルディジタル映像信号として受け取られ、そのビットレートを１０Ｇb/s 以上、例えば、１０．６９２Ｇｂ／ｓとするビット列データが、各々が規格に定められたビットレートを有したビット列データを成すｎチャンネルのシリアルディジタル映像信号についての多重化処理がなされて形成されたものである場合には、受け取られたビットレートを１０Ｇb/s 以上、例えば、１０．６９２Ｇｂ／ｓとするビット列データから、例えば、ｎチャンネルのHD-SDI信号とされる、各々が規格に定められたビットレートを有したビット列データを成すｎチャンネルの第２のシリアルディジタル映像信号が再生され、また、ビットレートを１０Ｇb/s 以上、例えば、１０．６９２Ｇｂ／ｓとするビット列データが、特定パラレルディジタル映像信号に基づいて形成されたものである場合には、受け取られたビットレートを１０Ｇb/s 以上、例えば、１０．６９２Ｇｂ／ｓとするビット列データから、特定パラレルディジタル映像信号を再生することができる、各々が規格に定められたビットレートを有したビット列データを成すｎチャンネルの第２のシリアルディジタル映像信号が得られる。
【００１９】
そして、例えば、ｎチャンネルのHD-SDI信号とされる、各々が規格に定められたビットレートを有したビット列データを成すｎチャンネルの第２のシリアルディジタル映像信号が再生されル場合、及び、特定パラレルディジタル映像信号を再生することができる、各々が規格に定められたビットレートを有したビット列データを成すｎチャンネルの第２のシリアルディジタル映像信号が得られる場合のいずれにおいても、ビットレートを１０Ｇb/s 以上、例えば、１０．６９２Ｇｂ／ｓとするビット列データにＳ／Ｐ変換が施されて、各々が所定のビットレート、例えば、６６８．２５Ｍｂ／ｓのビットレートを有したｍチャンネルのビット列データが形成され、その後、ｍチャンネルのビット列データが多重されて形成される多重ワード列データが形成され、さらに、その多重ワード列データに含まれる特定のビット配列を有した同期ワードデータの検出が行われ、その検出の状況に応じて多重ワード列データについてのビットシフト量が設定されて、多重ワード列データについてのビット同期及びワード同期が確立される。そして、ビット同期及びワード同期が確立された多重ワード列データから、ｎチャンネルのワード列データが形成され、それらの夫々にＰ／Ｓ変換が施されて、規格に定められたビットレートを有したビット列データを成すｎチャンネルの第２のシリアルディジタル映像信号が得られるので、目的とする第２のシリアルディジタル映像信号の形成が、第１のシリアルディジタル映像信号として受け取られるビットレートを１０Ｇb/s 以上、例えば、１０．６９２Ｇｂ／ｓとするビット列データの到来ビットタイミング状況の如何にかかわらず、適正かつ確実に行われることになる。
【発明を実施するための最良の形態】
【００２０】
本願の特許請求の範囲に記載された発明を実施するための最良の形態は、以下に述べられる実施例をもって説明される。
【実施例】
【００２１】
先ず、本願の特許請求の範囲における請求項１から請求項９までのいずれかに記載された発明に係るデータ受信装置の実施例の詳細説明に先立って、当該実施例によって受信されるデータを送信するデータ送信装置の一例について、図２から図７までを参照して述べる。
【００２２】
図２は上述のデータ送信装置の一例を示す。この図２に示されるデータ送信装置にあっては、例えば、フレームレートを２４Ｈｚもしくは２５Ｈｚとし、各フレームにおける有効ライン数が、例えば、２１６０ラインに設定されるとともに，各ラインにおける有効ワード数が、例えば、４０９６ワードに設定され、ワードビット数を１２ビットとして、データ形式をＧ，Ｂ，Ｒ形式とするパラレルディジタル映像信号である、４ｋ×２ｋ信号ＤＳＶが、複数チャンネルシリアルディジタル映像信号形成部１０に供給される。この４ｋ×２ｋ信号ＤＳＶは、Ｇデータ系列，Ｂデータ系列及びＲデータ系列が並列配置されて成るデータ系列並列配置構成をとる。
【００２３】
図３は、複数チャンネルシリアルディジタル映像信号形成部１０に供給される４ｋ×２ｋ信号ＤＳＶの一例のデータフォーマットを示す。
【００２４】
図３に示されるデータフォーマットを有する特定４ｋ×２ｋ信号ＤＳＶの一例にあっては、互いに同期して並列配置されるＧデータ系列，Ｂデータ系列及びＲデータ系列について、フレーム期間分が１／２４秒もしくは１／２５秒毎に連なるものとして設定されているとともに、その各フレーム期間分がライン期間分Ｌ０００１からライン期間分Ｌｎ3 までのｎ3 ライン期間分の連なりをもって形成されている。また、各フレーム期間分における有効ライン部がライン期間分Ｌｎ1+1 からライン期間分Ｌｎ2 までとされ、各フレーム期間分における有効ライン部におけるライン数、即ち、有効ライン数が２ｋ＝ｎ2 −ｎ1 ラインに設定されている。２ｋは、例えば、２１６０とされる。さらに、各ライン期間分における映像データ部を構成する有効データワード数が４ｋワードに設定されている。４ｋは、例えば、４０９６とされる。そして、ワードビット数は１２ビットに選定されている。
【００２５】
斯かるもとで、各フレーム期間分におけるライン期間分Ｌ0001からライン期間分Ｌｎ3 までの夫々は、ワードビット数を１２ビットとするＧデータ系列のライン期間分と、ワードビット数を１２ビットとするＢデータ系列のライン期間分と、ワードビット数を１２ビットするＲデータ系列のライン期間分とを含むことになるが、特に、有効ライン部を形成するライン期間分Ｌｎ1+１からライン期間分Ｌｎ2 までの夫々については、それらのうちの一つであるライン期間分Ｌｎ1+１における状態が図３に例示されている如くに、それを形成するワードビット数を１２ビットとするＧデータ系列のライン期間分，ワードビット数を１２ビットとするＢデータ系列のライン期間分及びワードビット数を１２ビットとするＲデータ系列のライン期間分の夫々が、ラインブランキング部と映像データ部とを含むものとして形成されている。
【００２６】
そして、各ラインブランキング部が、その始端部分にタイミング基準コード：ＥＡＶ（End of Active Video)が配されるとともに、その終端部分にタイミング基準コード：ＳＡＶ（Start of Active Video)が配され、ＥＡＶとＳＡＶとの間に補助データが配されるものとして構成されている。一方、映像データ部については、Ｇデータ系列における映像データ部が、有効ワード数である４ｋワードの緑色原色信号情報をあらわすＧデータＧＤが配されて構成され、Ｂデータ系列における映像データ部が、有効ワード数である４ｋワードの青色原色信号情報をあらわすＢデータＢＤが配されて構成され、さらに、Ｒデータ系列における映像データ部が、有効ワード数である４ｋワードの赤色原色信号情報をあらわすＲデータＲＤが配されて構成されている。
【００２７】
複数チャンネルシリアルディジタル映像信号形成部１０においては、それに供給される４ｋ×２ｋ信号ＤＳＶが、必要に応じてビット不足を補う補足ビットが付加されるもとで、各々が規格化された１．４８５Ｇｂ／ｓとされるビットレートを有したビット列データを成すｎチャンネル（ｎは正整数）、例えば、８チャンネル（ｎ＝８）のシリアルディジタル映像信号であるHD-SDI信号ＤＨＳ１〜ＤＨＳ８に変換される。斯かる際には、例えば、ＳＭＰＴＥによって制定された規格である SMPTE STANDARD  SMPTE 372M, for Television − Dual Link 292M Interface for 1920×1080 Picture Raster に準拠した Link A 及び Link B とされるワード列データ（ Link A 及び Link B の各々はワードビット数を２０ビットとするワード列データ）を形成する手法が用いられる。そして、４ｋ×２ｋ信号ＤＳＶに基づいて、各チャンネルが Link A と Link B との組で構成される４チャンネルのデータが形成され、これらの合計８チャンネルの Link A 及び Link B の夫々がビット列データに変換されて、８チャンネルのHD-SDI信号ＤＨＳ１〜ＤＨＳ８が形成される。
【００２８】
このようにして、複数チャンネルシリアルディジタル映像信号形成部１０から得られる８チャンネルのHD-SDI信号ＤＨＳ１〜ＤＨＳ８が、パラレルデータ形成部１１に供給される。パラレルデータ形成部１１は、図４に示されるように、HD-SDI信号ＤＨＳ１に対するデータ処理部ＰＤ１，HD-SDI信号ＤＨＳ２に対するデータ処理部ＰＤ２，・・・・・，HD-SDI信号ＤＨＳ８に対するデータ処理部ＰＤ８を内蔵している。
【００２９】
データ処理部ＰＤ１においては、それに供給されるHD-SDI信号ＤＨＳ１が、Ｓ／Ｐ変換部１２においてＳ／Ｐ変換を施され、例えば、図５に示されるような、ライン分データ構造を有したパラレルディジタル映像信号であるＨＤ信号を成すワード列データＤｈ１に変換される。図５に示されるライン分データ構造は、ワードビット数を２０ビットとしたラインブランキング部と映像データ部とを含んだものとされている。ラインブランキング部は、その始端部分に４ワードから成るタイミング基準コードデータ：ＥＡＶが配されるとともに、その終端部分に４ワードから成るタイミング基準コードデータ：ＳＡＶが配され、ＥＡＶとＳＡＶとの間に補助データが配されて構成されており、ワード数は５９２ワード（フレームレートが１／２５秒の場合）もしくは７０２ワード（フレームレートが１／２４秒の場合）とされている。また、映像データ部には、映像データである、緑色原色信号情報をあらわすＧデータ，青色原色信号情報をあらわすＢデータ、及び、赤色原色信号情報をあらわすＲデータが配されて構成されており、ワード数は２０４８ワードとされている。従って、１ライン期間分の総ワード数は２６４０ワード（フレームレートが１／２５秒の場合）もしくは２７５０（フレームレートが１／２４秒の場合）ワードである。また、ワードレートは、７４．２５Ｍb/s もしくは７４．２５／１．００１Ｍb/s （本願においては、これらのいずれをも７４．２５Ｍb/s という。）とされる。なお、映像データ部のワード数は、２０４８ワードに代えて、１９２０ワードとされることも考えられる。
【００３０】
ＥＡＶ及びＳＡＶの夫々を成す４ワードは、１６進表現で３ＦＦ，０００，０００，ＸＹＺとして表されるものとされる。３ＦＦ及び０００の夫々は、映像データ部におけるワードとしては用いられない“禁止コード”であって、３ＦＦ，０００，０００，ＸＹＺの組合せは、映像データ部には現れない。また、ＥＡＶとＳＡＶとの間に配される補助データは、当該ＨＤ信号の映像データについての情報をあらわす、４ワード構成の識別データ:Payload ID を適宜含むものとされる。
【００３１】
Ｓ／Ｐ変換部１２から得られるワード列データＤｈ１は、ビット・ワード同期設定部１３に供給される。ビット・ワード同期設定部１３においては、ワード列データＤｈ１に含まれるタイミング基準コードデータＥＡＶ及びＳＡＶの検出が行われ、それらの検出結果に基づいてビット同期及びワード同期が確立され、さらに、ワード列データＤｈ１についてのフレームレートの検出も行われる。
【００３２】
ビット・ワード同期設定部１３を経たワード列データＤｈ１は、ＦＩＦＯメモリ部１４に、周波数を７４．２５ＭＨｚとする書込クロック信号ＱＷ１をもって２０ビットずつ書き込まれる。そして、ＦＩＦＯメモリ部１４に書き込まれたワード列データＤｈ１は、周波数を７４．２５／２ＭＨｚ＝３７．１２５ＭＨｚとする読出クロック信号ＱＲ１をもって４０ビットずつ読み出され、ワード列データＤｄ１として、Ｋ２８．５・Ｐ．ＩＤ挿入部１５に供給される。
【００３３】
Ｋ２８．５・Ｐ．ＩＤ挿入部１５においては、ワード列データＤｄ１の各ラインブランキング部におけるタイミング基準コードデータ：ＥＡＶもしくはＳＡＶの冒頭部分の４０ビットを、図６に示されるように、２個の８ビットワードデータＤＫと３個の８ビットワードデータＤＰとによって置き換えることにより、ワード列データＤｄ１に８ビットワードデータＤＫ及びＤＰを挿入する、データ挿入処理が行われる。
【００３４】
２個の８ビットワードデータＤＫは、各々が、それに８Ｂ／１０Ｂ変換処理が施されるとき、“Ｋ２８．５”というコードネームで呼ばれる、映像信号情報をあらわすワードデータとしては用いられない１０ビットワードデータであって、同期ワードデータとして機能するものに変換される。また、３個の８ビットワードデータＤＰは、ワード列データＤｈ１に補助データとして含まれる識別データ:Payload ID を構成する４ワードのうちの一番目から三番目までの３ワードに相当する３個の８ビットワードデータであって、識別データ:Payload ID として機能するデータに変換される。
【００３５】
Ｋ２８．５・Ｐ．ＩＤ挿入部１５からは、２個の８ビットワードデータＤＫと３個の８ビットワードデータＤＰとについての挿入処理が施されたワード列データＤｄ１が、４０ビットずつ送出され、８Ｂ／１０Ｂ変換部１６に供給される。８Ｂ／１０Ｂ変換部１６においては、ワード列データＤｄ１について、その４０ビットが順次５０ビットに変換されていく８Ｂ／１０Ｂ変換が行われ、ワード列データＤｅ１が形成される。そして、８Ｂ／１０Ｂ変換部１６からは、ワード列データＤｅ１が５０ビットずつ送出され、それがデータ処理部ＰＤ１からの出力データとされる。
【００３６】
また、データ処理部ＰＤ２においては、それに供給されるHD-SDI信号ＤＨＳ２が、Ｓ／Ｐ変換部１７においてＳ／Ｐ変換を施され、例えば、前述の図５に示されるようなライン分データ構造を有したパラレルディジタル映像信号であるＨＤ信号を成すワード列データＤｈ２に変換される。Ｓ／Ｐ変換部１７から得られるワード列データＤｈ２は、ビット・ワード同期設定部１８に供給される。ビット・ワード同期設定部１８においては、ワード列データＤｈ２に含まれるタイミング基準コードデータ：ＥＡＶ及びＳＡＶの検出が行われ、それらの検出結果に基づいてビット同期及びワード同期が確立される。
【００３７】
ビット・ワード同期設定部１８を経たワード列データＤｈ２は、ＦＩＦＯメモリ部１９に、周波数を７４．２５ＭＨｚとする書込クロック信号ＱＷ１をもって２０ビットずつ書き込まれる。そして、ＦＩＦＯメモリ部１９に書き込まれたワード列データＤｈ２は、周波数を７４．２５／２ＭＨｚ＝３７．１２５ＭＨｚとする読出クロック信号ＱＲ１をもって４０ビットずつ読み出され、ワード列データＤｄ２として８Ｂ／１０Ｂ変換部２０に供給される。８Ｂ／１０Ｂ変換部２０においては、ワード列データＤｄ２についての、その４０ビットが順次５０ビットに変換されていく８Ｂ／１０Ｂ変換が行われ、ワード列データＤｅ２が形成される。そして、８Ｂ／１０Ｂ変換部２０からは、ワード列データＤｅ２が５０ビットずつ送出され、それがデータ処理部ＰＤ２からの出力データとされる。
【００３８】
データ処理部ＰＤ３〜ＰＤ８の夫々もデータ処理部ＰＤ２と同様であり、データ処理部ＰＤ３〜ＰＤ８においては、それらに夫々供給されるHD-SDI信号ＤＨＳ３〜ＤＨＳ８に対しての、データ処理部ＰＤ２におけるそれに供給されるHD-SDI信号ＤＨＳ２に対して行われる処理と同様な処理が行われ、データ処理部ＰＤ３〜ＰＤ８から、出力データとして、各々が５０ビットずつ送出されるものとされるワード列データＤｅ３〜Ｄｅ８が得られる。
【００３９】
パラレルデータ形成部１１に内蔵されたデータ処理部ＰＤ１〜ＰＤ８から出力データとして夫々得られるワード列データＤｅ１〜Ｄｅ８は、パラレルデータ形成部１１から８チャンネルのワード列データとして送出されて、データ多重部２２に供給される。データ多重部２２においては、ワード列データＤｅ１〜Ｄｅ８を、各々の間における同期をとったもとで、ワード多重の手法をもって多重することにより、多重ワード列データＤｍを形成する。
【００４０】
データ多重部２２において形成される多重ワード列データＤｍは、例えば、そのライン分データ構成が、ワード列データＤｅ１〜Ｄｅ８の夫々におけるラインブランキング部が多重化されて得られるラインブランキング部とワード列データＤｅ１〜Ｄｅ８の夫々における映像データ部が多重化されて得られる映像データ部とを含んで構成される、１０ビットワード列データとされる。そして、斯かる１０ビットワード列データとされる多重ワード列データＤｍのラインブランキング部における多重化されたＥＡＶもしくはＳＡＶの冒頭部分には、パラレルデータ形成部１１に内蔵されたデータ処理部ＰＤ１においてワード列データＤｄ１に置換挿入された、２個の８ビットワードデータＤＫと３個の８ビットワードデータＤＰとに基づく、２バイトのＫ２８．５と３バイトの識別データ：Payload IDとが配されている。
【００４１】
データ多重部２２から得られる多重ワード列データＤｍは、その５０×８ビットずつが、メモリ部２３に、周波数を７４．２５／２ＭＨｚ＝３７．１２５ＭＨｚとする書込クロック信号ＱＷ２をもって書き込まれる。そして、メモリ部２３に書き込まれた多重ワード列データＤｍは、メモリ部２３から、周波数を８３．５３１２５ＭＨｚとする読出クロック信号ＱＲ２をもって、５０×８ビットずつ読み出され、ワード列データＤｏとして、データ長変換部２４に供給される。
【００４２】
データ長変換部２４においては、ワード列データＤｏに、その５０×８ビットを順次１２８ビットに変更するデータ長変換処理が施されて、ワード列データＤｐが形成される。このとき、ワード列データＤｐは、必要に応じて、例えば、速度調整用とされる付加データが付加されるものとされ、付加データが付加されるときには、その付加データは、その冒頭部に、例えば、２バイトの“Ｋ２８．３”というコードネームで呼ばれる、映像信号情報をあらわすワードデータとしては用いられない１０ビットワードデータを含むものとされる。
【００４３】
このようなワード列データＤｐは、複数チャンネルシリアルディジタル映像信号形成部１０に供給された４ｋ×２ｋ信号ＤＳＶがフレームレートを２４Ｈｚとするものであって、それに基づく８チャンネルのHD-SDI信号ＤＨＳ１〜ＤＨＳ８がパラレルデータ形成部１１に供給されるもとにあっては、例えば、図７のＡに示されるライン分データ構造を有し、また、複数チャンネルシリアルディジタル映像信号形成部１０に供給された４ｋ×２ｋ信号ＤＳＶがフレームレートを２５Ｈｚとするものであって、それに基づく８チャンネルのHD-SDI信号ＤＨＳ１〜ＤＨＳ８がパラレルデータ形成部１１に供給されるもとにあっては、例えば、図７のＢに示されるライン分データ構造を有するものとされる。これらの図７のＡ及びＢの夫々に示されるライン分データ構造にあっては、ラインブランキング部におけるタイミング基準コードデータ：ＥＡＶもしくはＳＡＶの冒頭部分に、２バイトのＫ２８．５と３バイトの識別データ：Payload IDとが配されている。
【００４４】
データ長変換部２４から得られるワード列データＤｐは、その１２８ビットずつが、メモリ部２５に、周波数を８３．５３１２５ＭＨｚとする書込クロック信号ＱＷ３をもって書き込まれる。そして、メモリ部２５に書き込まれたワード列データＤｐは、メモリ部２５から、周波数を８３．５３１２５×２ＭＨｚ＝１６７．０６２５ＭＨｚとする読出クロック信号ＱＲ３をもって、６４ビットずつ読み出され、ワード列データＤｑとして、多チャンネルデータ形成部２６に供給される。
【００４５】
多チャンネルデータ形成部２６にあっては、１／１６７．０６２５ＭＨｚの周期をもって６４ビットずつ供給されるワード列データＤｐに基づき、各々がビットレートを６６８．２５Ｍb/s とするｍチャンネル（ｍはｎより大なる整数）、例えば、１６チャンネル（ｍ＝１６）のビット列データＤＳＸを形成する。それにより、多チャンネルデータ形成部２６から得られる１６チャンネルのビット列データＤＳＸは、データ多重・Ｐ／Ｓ変換部２７に供給される。
【００４６】
データ多重・Ｐ／Ｓ変換部２７にあっては、１６チャンネルのビット列データＤＳＸを多重するとともに、それにより得られるパラレルデータにＰ／Ｓ変換を施して、ビットレートを１０Ｇb/s 以上、例えば、６６８．２５Ｍb/s ×１６＝１０．６９２Ｇb/s とするビット列データＤＴＧを形成する。このようにしてデータ多重・Ｐ／Ｓ変換部２７から得られるビット列データＤＴＧは、パラレルデータ形成部１１に供給されたｎチャンネルのHD-SDI信号ＤＨＳ１〜ＤＨＳｎに基づいて形成されたものであるので、ビットレートを１０Ｇb/s 以上、例えば、１０．６９２Ｇb/s とするビット列データを形成するシリアルディジタル映像信号であることになる。
【００４７】
そして、データ多重・Ｐ／Ｓ変換部２７から得られるビット列データＤＴＧは、データ送出部を形成する電光変換部２８に供給される。電光変換部２８は、ビット列データＤＴＧを光信号ＤＬに変換し、その光信号ＤＬを、オプティカル・ファイバー等によって形成される光信号伝送ケーブル２９を通じて伝送すべく送出する。
【００４８】
上述のようにして、図２に示されるデータ送信装置にあっては、例えば、８チャンネルのHD-SDI信号ＤＨＳ１〜ＤＨＳ８を、それらに多重化処理を施した後、ビットレートを１０Ｇb/s 以上、例えば、１０．６９２Ｇb/s とするビット列データＤＴＧに変換し、それを伝送すべく送出することができる。従って、規格化された１．４８５Ｇｂ／ｓとされるビットレートを有するものとされるHD-SDI信号についての、その複数チャンネルに多重化処理を施したもとでのシリアル伝送を、効率良く行えることになる。
【００４９】
続いて、上述の図２に示されるデータ送信装置によって光信号ＤＬとして送信されたビット列データＤＴＧを受信する、本願の特許請求の範囲における請求項１から請求項９までのいずれかに記載された発明に係るデータ受信装置の一例について、主として図１，図８及び図９を参照して詳述する。
【００５０】
図１は、本願の特許請求の範囲における請求項１から請求項９までのいずれかに記載された発明に係るデータ受信装置の一例（実施例）を示す。
【００５１】
図１に示される例にあっては、オプティカル・ファイバー等によって形成される光信号伝送ケーブル３１を通じて到来する光信号ＤＬが、データ受取手段を形成する光電変換部３２によって受けられる。光信号ＤＬは、図２に示されるデータ送信装置によって伝送されるべく送出される、ビットレートを、１０Ｇb/s 以上、例えば、１０．６９２Ｇb/s とするビット列データＤＴＧが変換されて得られるものとされる。
【００５２】
光電変換部３２は、光信号ＤＬを、ビットレートを、１０Ｇb/s 以上、例えば、１０．６９２Ｇb/s とするビット列データＤＴＧに変換して、ビット列データＤＴＧについての受信を行い、そのビット列データＤＴＧをＳ／Ｐ変換・多チャンネルデータ形成部３３に供給する。Ｓ／Ｐ変換・多チャンネルデータ形成部３３にあっては、ビット列データＤＴＧにＳ／Ｐ変換を施すとともに、それにより得られるパラレルデータに基づく、各々がビットレートを、例えば、６６８．２５Ｍb/s とするものとされるｍチャンネル、例えば、１６チャンネルのビット列データＤＳＸを形成する。それにより、Ｓ／Ｐ変換・多チャンネルデータ形成部３３から得られる１６チャンネルのビット列データＤＳＸは、データ多重部３４に供給される。
【００５３】
データ多重部３４にあっては、１６チャンネルのビット列データＤＳＸを多重して、多重ワード列データとされるワード列データＤｑを形成する。それにより、データ多重部３４から得られるワード列データＤｑは、その６４ビットずつが、メモリ部３５に、周波数を１６７．０６２５ＭＨｚとする書込クロック信号ＱＷ４をもって書き込まれる。そして、メモリ部３５に書き込まれたワード列データＤｑは、メモリ部３５から、周波数を８３．５３１２５ＭＨｚとする読出クロック信号ＱＲ４をもって１２８ビットずつ読み出され、ワード列データＤｒとしてビット・ワード同期設定部３６に供給される。このようにしてビット・ワード同期設定部３６に供給されるワード列データＤｒは、例えば、図７のＡもしくはＢに示されるようなライン分データ構造をとるものとされる。
【００５４】
ビット・ワード同期設定部３６は、例えば、図８に示されるように、フリップ・フロップ（Ｆ．Ｆ．）３７，ビットシフタ３８及びＫ２８．５×２検出部３９とを含んで構成されている。Ｋ２８．５×２検出部３９は、同期ワード検出部を形成していて、その検出動作に伴うビットシフト制御信号ＣＢＳをビットシフタ３８へと送出する。
【００５５】
そして、ビット・ワード同期設定部３６にあっては、メモリ部３５から１２８ビットずつ読み出されて得られるワード列データＤｒが、そのうちの１２８ビットがフリップ・フロップ（Ｆ．Ｆ．）３７に供給されて保持されるとともに、それに続く１２７ビットがＦ．Ｆ．３７を側路するものとされる。そして、Ｆ．Ｆ．３７から得られる１２８ビットとＦ．Ｆ．３７を側路した１２７ビットとが連ねられ、１２８＋１２７＝２５５ビットに区切られたデータとして、ビットシフタ３８に供給される。
【００５６】
ビットシフタ３８は、Ｋ２８．５×２検出部３９から送出されるビットシフト制御信号ＣＢＳの到来毎に、２５５ビットのデータを１ビットだけシフトし、１２８ビットずつのワード列データＤｒｓとして送出する。但し、ビットシフタ３８は、Ｋ２８．５×２検出部３９から送出されるビットシフト制御信号ＣＢＳが到来していないときには、２５５ビットのデータについてのビットシフトを行わない。従って、２５５ビットのデータが供給されるビットシフタ３８は、先ず、２５５ビットのデータについてのビットシフトを行うことなく、ビットシフトを生じていない１２８ビットのワード列データＤｒｓをＫ２８．５×２検出部３９に供給し、その後、Ｋ２８．５×２検出部３９からのビットシフト制御信号ＣＢＳが到来するときには、そのビットシフト制御信号ＣＢＳの到来毎に、２５５ビットのデータについての１ビットずつのビットシフトを行い、ビットシフトを生じた１２８ビットのワード列データＤｒｓをＫ２８．５×２検出部３９に供給することになる。
【００５７】
Ｋ２８．５×２検出部３９は、先ず、ビットシフタ３８からのビットシフトを生じていない１２８ビットのワード列データＤｒｓを先頭から順次１０ビットずつ区切って、ワード列データＤｒｓにおけ同期ワードデータである“Ｋ２８．５”の検出を行う。その結果、ワード列データＤｒｓにおける“Ｋ２８．５”が２個連続して検出されたときには、同期ワードデータである“Ｋ２８．５”の検出が適正に検出されたとして、ビットシフタ３８を２５５ビットのデータについてのビットシフトを生じさせないものに維持する状態、即ち、ビットシフタ３８におけるワード列データＤｒについてのビットシフト量を零に固定して設定する状態をとり、それによって、ワード列データＤｒｓについてのビット同期及びワード同期を確立する。
【００５８】
また、Ｋ２８．５×２検出部３９は、ワード列データＤｒｓにおける“Ｋ２８．５”が２個連続して検出されないときには、同期ワードデータである“Ｋ２８．５”の検出が適正に検出されないとして、ビットシフト制御信号ＣＢＳをビットシフタ３８へと送出して、ビットシフタ３８に２５５ビットのデータについての１ビットずつのビットシフトを生じさせ、それによりビットシフタ３８から得られる、ビットシフトを生じた１２８ビットのワード列データＤｒｓにおける同期ワードデータである“Ｋ２８．５”の検出を行う。そして、Ｋ２８．５×２検出部３９は、斯かる動作を、ワード列データＤｒｓにおける“Ｋ２８．５”が２個連続して検出されるまで繰り返して行い、ワード列データＤｒｓにおける“Ｋ２８．５”が２個連続して検出されたとき、同期ワードデータである“Ｋ２８．５”の検出が適正に検出されたとして、ビットシフタ３８におけるワード列データＤｒについてのビットシフト量をそのときのビットシフト量に固定して設定する状態をとり、それによって、ワード列データＤｒｓについてのビット同期及びワード同期を確立する。
【００５９】
その結果、Ｋ２８．５×２検出部３９から、ビット同期及びワード同期が確立されたワード列データＤｒｓが１２８ビットずつのワード列データＤｒ’として送出され、そのビット同期及びワード同期が確立されたワード列データＤｒ’が、ビット・ワード同期設定部３６からデータ長変換部４０に供給される。
【００６０】
上述のように、Ｋ２８．５×２検出部３９におけるワード列データＤｒｓについての“Ｋ２８．５”の検出に先立って、Ｆ．Ｆ．３７が用いられた回路部により、メモリ部３５から１２８ビットずつ読み出されて得られるワード列データＤｒに基づく２５５ビットのデータが形成され、それがビットシフタ３８に供給されて、ビットシフタ３８から１２８ビットのワード列データＤｒｓが得られるものとされることにより、メモリ部３５から１２８ビットずつ読み出されて得られるワード列データＤｒにおける１２８ビットの境界に１個の“Ｋ２８．５”が存することになる場合にも、Ｋ２８．５×２検出部３９における“Ｋ２８．５”の検出が適正に行われる。
【００６１】
データ長変換部４０においては、ビット同期及びワード同期が確立されたワード列データＤｒ’に、その１２８ビットを順次５０×ｎビット、例えば、５０×８ビット（ｎ＝８）に変換するデータ長変換処理が施されて、ワード列データＤｏが形成される。その際、ワード列データＤｒ’に送信時に付加された付加データが含まれている場合には、その付加データは除去される。
【００６２】
そして、データ長変換部４０から得られるワード列データＤｏは、その５０×８ビットずつが、メモリ部４１に、周波数を８３．５３１２５ＭＨｚとする書込クロック信号ＱＷ５をもって書き込まれる。そして、メモリ部４１に書き込まれたワード列データＤｏは、メモリ部４１から、周波数を７４．２５／２ＭＨｚ＝３７．１２５ＭＨｚとする読出クロック信号ＱＲ５をもって５０×８ビットずつ読み出され、多重ワード列データＤｍとして、データ分離部４２に供給される。
【００６３】
データ分離部４２においては、多重ワード列データＤｍにワード分離処理が施されて、多重ワード列データＤｍからｎチャンネル、例えば、８チャンネル（ｎ＝８）のワード列データＤｅ１〜Ｄｅ８が分離されて取り出される。これらのデータ分離部４２において分離される８チャンネルのワード列データＤｅ１〜Ｄｅ８は、それらの夫々が、５０ビットずつデータ分離部４２から送出されて、シリアルデータ形成部４３に供給されるものとされる。
【００６４】
シリアルデータ形成部４３は、図９に示されるように、ワード列データＤｅ１に対するデータ処理部ＰＲ１，ワード列データＤｅ２に対するデータ処理部ＰＲ２，・・・・・，ワード列データＤｅ８に対するデータ処理部ＰＲ８を内蔵している。
【００６５】
データ処理部ＰＲ１においては、それに供給されるワード列データＤｅ１に、８Ｂ／１０Ｂデコーディング変換部４４において、その５０ビットが順次４０ビットに変換されていく８Ｂ／１０Ｂデコーディング変換が施され、ワード列データＤｄ１が形成される。そして、８Ｂ／１０Ｂデコーディング変換部４４から得られるワード列データＤｄ１は、Ｋ２８．５・Ｐ．ＩＤ入換部４５に供給される。
【００６６】
Ｋ２８．５・Ｐ．ＩＤ入換部４５においては、ワード列データＤｄ１の各ラインブランキング部の始端部分に挿入された、２バイトの８Ｂ／１０Ｂ変換処理が施されるとき“Ｋ２８．５”となる８ビットワードデータと、３バイトの８Ｂ／１０Ｂ変換処理が施されるとき識別データ：Payload IDとなる８ビットワードデータとを、タイミング基準コードデータ：ＥＡＶもしくはＳＡＶを構成することになる４ワードをもって入れ換える、データ入換処理が行われる。
【００６７】
Ｋ２８．５・Ｐ．ＩＤ入換部４５からは、各ラインブランキング部の始端部分におけるタイミング基準コードデータ：ＥＡＶもしくはＳＡＶを構成する４ワードをもっての入換えが行われたワード列データＤｄ１が４０ビットずつ送出され、そのワード列データＤｄ１が、ＦＩＦＯメモリ部４６に、４０ビットずつ、周波数を７４．２５／２ＭＨｚ＝３７．１２５ＭＨｚとする書込クロック信号ＱＷ６をもって書き込まれる。続いて、ＦＩＦＯメモリ部４６に書き込まれたワード列データＤｄ１は、ＦＩＦＯメモリ部４６から、周波数を７４．２５ＭＨｚとする読出クロック信号ＱＲ６をもって２０ビットずつ読み出されて、２０ビットワード構成のパラレルディジタル映像信号であるＨＤ信号を成すワード列データＤｈ１が形成され、そのワード列データＤｈ１がＰ／Ｓ変換部４７に供給される。このワード列データＤｈ１は、例えば、図５に示されるようなライン分データ構造を有したものとされる。
【００６８】
Ｐ／Ｓ変換部４７においては、ワード列データＤｈ１にＰ／Ｓ変換が施されて、ワード列データＤｈ１に基づく、ビットレートを規格化された１．４８５Ｇb/s とするシリアルディジタル映像信号であるHD-SDI信号ＤＨＳ１が形成される。そして、このＰ／Ｓ変換部４７において形成されるHD-SDI信号ＤＨＳ１が、データ処理部ＰＲ１からの出力データとされる。
【００６９】
また、データ処理部ＰＲ２においては、それに供給されるワード列データＤｅ２に、８Ｂ／１０Ｂデコーディング変換部４８において、その５０ビットが順次４０ビットに変換されていく８Ｂ／１０Ｂデコーディング変換が施され、ワード列データＤｄ２が形成される。そして、８Ｂ／１０Ｂデコーディング変換部４８から得られるワード列データＤｄ２は、ＦＩＦＯメモリ部４９に、４０ビットずつ、周波数を７４．２５／２ＭＨｚ＝３７．１２５ＭＨｚとする書込クロック信号ＱＷ６をもって書き込まれる。
【００７０】
続いて、ＦＩＦＯメモリ部４９に書き込まれたワード列データＤｄ２は、ＦＩＦＯメモリ部４９から、周波数を７４．２５ＭＨｚとする読出クロック信号ＱＲ６をもって２０ビットずつ読み出されて、２０ビットワード構成のパラレルディジタル映像信号であるＨＤ信号を成すワード列データＤｈ２が形成され、そのワード列データＤｈ２がＰ／Ｓ変換部５０に供給される。このワード列データＤｈ２も、例えば、図５に示されるようなライン分データ構造を有したものとされる。
【００７１】
Ｐ／Ｓ変換部５０においては、ワード列データＤｈ２にＰ／Ｓ変換が施されて、ワード列データＤｈ２に基づく、ビットレートを規格化された１．４８５Ｇb/s とするシリアルディジタル映像信号であるHD-SDI信号ＤＨＳ２が形成される。そして、このＰ／Ｓ変換部５０において形成されるHD-SDI信号ＤＨＳ２が、データ処理部ＰＲ２からの出力データとされる。
【００７２】
データ処理部ＰＲ３〜ＰＲ８の夫々もデータ処理部ＰＲ２と同様であり、データ処理部ＰＲ３〜ＰＲ８においては、それらに夫々供給されるワード列データＤｅ３〜Ｄｅ８に対しての、データ処理部ＰＲ２におけるそれに供給されるワード列データＤｅ２に対して行われる処理と同様な処理が行われ、データ処理部ＰＲ３〜ＰＲ８から、出力データとして、各々がビットレートを規格化された１．４８５Ｇb/s とするシリアルディジタル映像信号であるHD-SDI信号ＤＨＳ３〜ＤＨＳ８が得られる。
【００７３】
このようにして、データ処理部ＰＲ１〜ＰＲ８の夫々からの出力データとして得られる８チャンネルのHD-SDI信号ＤＨＳ１〜ＤＨＳ８が、シリアルデータ形成部４３から、再生されたHD-SDI信号として送出される。
【００７４】
そして、シリアルデータ形成部４３から送出される８チャンネルのHD-SDI信号ＤＨＳ１〜ＤＨＳ８は、特定パラレルディジタル映像信号形成部５０に供給される。特定パラレルディジタル映像信号形成部５２においては、８チャンネルのHD-SDI信号ＤＨＳ１〜ＤＨＳ８が、送信側装置において付加された補足ビットがある場合にはそれが除去されるもとで、フレームレートを１／２４秒もしくは１／２５秒とする４ｋ×２ｋ信号ＤＳＶに変換される。それにより、特定パラレルディジタル映像信号形成部５２からは、ビットレートを１０Ｇb/s 以上、例えば、１０．６９２Ｇｂ／ｓとするビット列データＤＴＧに基づいて再生されたフレームレートを１／２４秒もしくは１／２５秒とする４ｋ×２ｋ信号ＤＳＶが送出される。
【００７５】
上述のようにして、図１に示される本願の特許請求の範囲における請求項１から請求項９までのいずれかに記載された発明に係るデータ受信装置の一例にあっては、例えば、ビットレートを１０Ｇb/s 以上、例えば、１０．６９２Ｇｂ／ｓとするビット列データＤＴＧを受け取り、受け取ったビット列データＤＴＧに基づくワード列データについて、それにおける同期ワードの検出によってビット同期及びワード同期を確立した後、そのワード列データに基づく、各々が規格に定められたビットレートを有したビット列データを成すｎチャンネル、例えば、８チャンネルのシリアルディジタル映像信号である、８チャンネルのHD-SDI信号ＤＨＳ１〜ＤＨＳ８が得られる状態を経て、フレームレートを１／２４秒もしくは１／２５秒とする４ｋ×２ｋ信号ＤＳＶを再生することができる。従って、超広帯域映像信号に属する４ｋ×２ｋ信号ＤＳＶのシリアル伝送にあたっての受信側装置を構成するにあたり、例えば、１０．６９２Ｇｂ／ｓとするビット列データＤＴＧの到来ビットタイミング状況の如何にかかわらず、８チャンネルのHD-SDI信号ＤＨＳ１〜ＤＨＳ８の再生、さらには、４ｋ×２ｋ信号ＤＳＶの再生を適正かつ確実に行うことができることになる。
【００７６】
なお、上述の図１に示される例においては、シリアルデータ形成部４３から送出される８チャンネルのHD-SDI信号ＤＨＳ１〜ＤＨＳ８が供給される特定パラレルディジタル映像信号形成部５２が備えられているが、本願の特許請求の範囲における請求項１から請求項９までのいずれかに記載された発明に係るデータ受信装置にあっては、請求項５に記載された発明に係るデータ受信装置を除いて、特定パラレルディジタル映像信号形成部５２に相当する特定パラレルディジタル映像信号形成部を備えることは必ずしも必要ではなく、シリアルデータ形成部４３に相当するシリアルデータ形成部から送出される複数チャンネルのシリアルディジタル映像信号を出力信号とすることで足りる。
【産業上の利用可能性】
【００７７】
上述のような本願の特許請求の範囲における請求項１から請求項９までのいずれかに記載された発明に係るデータ受信装置は、規格化されたHD-SDI信号の複数チャンネルについての効率的な伝送を行うことができ、さらには、次世代カメラ信号，ＨＤスーパーモーション信号，４ｋ×２ｋ信号等の、所謂、超広帯域映像信号のシリアル伝送を実現できるデータ伝送システムを構築できるものとして、ディジタル映像信号を扱う分野において広範に適用され得るものである。
【図面の簡単な説明】
【００７８】
【図１】本願の特許請求の範囲における請求項１から請求項９までのいずれかに記載された発明に係るデータ受信装置の一例を示すブロック構成図である。
【図２】本願の特許請求の範囲における請求項１から請求項９までのいずれかに記載された発明に係るデータ受信装置の一例によって受信されるデータを送信するデータ送信装置の一例を示すブロック構成図である。
【図３】図２に示されるデータ送信装置の例の動作説明に供されるデータフォーマットを示す概念図である。
【図４】図２に示されるデータ送信装置の例についての説明に供されるブロック構成図である。
【図５】図２に示されるデータ送信装置の例の動作説明に供されるデータフォーマットを示す概念図である。
【図６】図２に示されるデータ送信装置の例の動作説明に供されるデータフォーマットを示す概念図である。
【図７】図２に示されるデータ送信装置の例の動作説明に供されるデータフォーマットを示す概念図である。
【図８】本願の特許請求の範囲における請求項１から請求項９までのいずれかに記載された発明に係るデータ受信装置の一例におけるビット・ワード同期設定部の具体構成例を示すブロック構成図である。
【図９】本願の特許請求の範囲における請求項１から請求項９までのいずれかに記載された発明に係るデータ受信装置の一例におけるシリアルデータ形成部の具体構成例を示すブロック構成図である。
【符号の説明】
【００７９】
３１・・・光信号伝送ケーブル，  ３２光電変換部，  ３３・・・Ｓ／Ｐ変換・多チャンネルデータ形成部，  ３４・・・データ多重部，  ３５，４１・・・メモリ部，  ３６・・・ビット・ワード同期設定部，  ３７・・・Ｆ．Ｆ．，  ３８・・・ビットシフタ，  ３９・・・Ｋ２８．５×２検出部，  ４０・・・データ長変換部，  ４２・・・データ分離部，  ４３・・・シリアルデータ形成部，  ４４，４８・・・８Ｂ／１０Ｂデコーディング変換部，  ４５・・・Ｋ２８．５・Ｐ．ＩＤ入換部，  ４６，４９・・・ＦＩＦＯメモリ部，  ４７，５０・・・Ｐ／Ｓ変換部，  ５２・・・特定パラレルディジタル映像信号形成部
【図１】
2006074546.tif 000003
【図２】
2006074546.tif 000004
【図３】
2006074546.tif 000005
【図４】
2006074546.tif 000006
【図５】
2006074546.tif 000007
【図６】
2006074546.tif 000008
【図７】
2006074546.tif 000009
【図８】
2006074546.tif 000010
【図９】
2006074546.tif 000011